(57)【特許請求の範囲】
【請求項１】
記録指示に応じて、フレーム構造の映像信号及びフレーム構造の音声信号の少なくとも１つをから成る番組データをＦＴＰ(File Transmission Protocol)に従い１フレーム長相当をファイルとするファイル単位で受信し、受信した複数ファイルを元の放送番組信号に復元して第１の記録媒体に記録する記録制御手段を有し、再生指示に応じて、この第１の記録媒体に記録された番組データを再生して送出するビデオサーバと、
前記第１の記録媒体に記録すべく映像信号を発生する映像発生器と、
前記第１の記録媒体に記録すべく音声信号を発生する音声発生器と、
前記映像発生器から発生される映像信号及び前記音声発生器から発生される音声信号を取得して符号化するとともに、これら映像符号化データ及び音声符号化データを番組毎に任意に組み合わせて番組データとして第２の記録媒体に記録し、前記ビデオサーバへの転送要求に応じて当該第２の記録媒体上の任意の番組データを複数ファイルに分割する編集装置とを具備したことを特徴とするビデオサーバシステム。
【請求項２】
前記編集装置は、可搬型記憶媒体が着脱自在に装着される第１の装着部と、転送要求に応じて選択的に番組データを前記第２の記録媒体から読み出して複数ファイルに分割し前記第１の装着部を介して可搬型記憶媒体に記憶させる手段とを備え、
前記ビデオサーバは、前記可搬型記憶媒体が着脱自在に装着される第２の装着部と、この第２の装着部に前記可搬型記憶媒体が装着された場合に、前記可搬型記憶媒体から複数ファイルを読み出して前記記録制御手段に供給する手段とを備えたことを特徴とする請求項１記載のビデオサーバシステム。
【請求項３】
前記ビデオサーバと前記編集装置との間が通信回線により接続される場合に、
前記編集装置は、転送要求に応じて選択的に番組データを前記第２の記録媒体から読み出し複数ファイルに分割して前記ビデオサーバへ前記通信回線を介して転送する転送手段を備え、
前記ビデオサーバの記録制御手段は、前記通信回線を介して複数ファイルが到来した場合に、前記複数ファイルを前記番組データに戻して前記第１の記録媒体に記録することを特徴とする請求項１記載のビデオサーバシステム。
【請求項４】
前記編集装置の転送手段は、番組の放送予定時間を示すスケジュールデータを記憶し、このスケジュールデータに基づいて前記第２の記録媒体から該当する番組データを読み出し複数ファイルに分割して前記ビデオサーバへ転送することを特徴とする請求項３記載のビデオサーバシステム。
【発明の詳細な説明】
【技術分野】
【０００１】
この発明は、例えば放送局の放送用映像、音声をビデオサーバに収録するビデオサーバシステムに関する。
【背景技術】
【０００２】
周知のように、例えばＴＶ（テレビジョン）放送やラジオ放送の番組素材を送出する番組送出システムにあっては、番組素材を記録し、任意のタイミングで番組素材を再生するビデオサーバが使用されている。
【０００３】
ところで、放送局において、ビデオサーバへの映像／音声収録はＶＴＲ（Video Tape Recorder）テープ、ＤＶＤ(Digital Versatile Disk)、ＣＤ(Compact Disk)、ＭＤ(Mini Disk)等の媒体からエンコーダを通してビデオサーバのメモリに書き込みを行い収録している。このため、収録時にはＶＴＲテープ、ＤＶＤ、ＣＤ、ＭＤ等をセットし収録ボタンを押す等のタイミングを含めた煩雑な手動操作が必要になり、収録には手間がかかっていた。
【０００４】
また、ビデオサーバのメモリ容量の制約から事前日数的に余裕をもって収録することができなかった。同じく、ビデオサーバのメモリ容量の制約から放送済みの映像／音声は削除され、再度使用する場合はＶＴＲテープ等の媒介からの再収録を行っていた。
【０００５】
さらには、ＶＴＲテープ、ＤＶＤ、ＣＤ、ＭＤ等の媒体の中身を編集することができないため、枠時間の変更等の調整が生じた場合等は媒体の作り直しが必要だった。
【０００６】
一方、ＶＴＲテープ、ＤＶＤ、ＣＤ、ＭＤ等の媒体の起動タイミングのゆらぎにより、素材の頭だしのタイミングがずれて収録されてしまうことが多々あり、ずれた場合は再収録を行っていた。
【０００７】
なお、従来では、２台のビデオサーバ間を通信回線により接続して二重化し、一方を送出系とし、他方を待機系として、枠時間の変更等や不具合等に対応できるようにしたビデオ転送システムが提案されている（例えば、特許文献１）。
【特許文献１】特開２００２−６４７７２号公報。
【発明の開示】
【発明が解決しようとする課題】
【０００８】
しかしながら、上記ビデオ転送システムでは、システムの構成が大掛かりなものになるとともに、設備コストが大きくなるという問題がある。
【０００９】
そこで、この発明の目的は、ビデオサーバに収録すべく放送番組データの編集に要する労力の低減及び所要時間の短縮を可能とし、これにより編集における信頼性の向上を図るようにしたビデオサーバシステムを提供することにある。
【課題を解決するための手段】
【００１０】
この発明は、上記目的を達成するために、以下のように構成される。  
記録指示に応じて、フレーム構造の映像信号及びフレーム構造の音声信号の少なくとも１つをから成る放送番組信号を第１の記録媒体に記録し、再生指示に応じて、この第１の記録媒体に記録された放送番組信号を再生して送出するビデオサーバと、第１の記録媒体に記録すべく映像信号を発生する映像発生器と、第１の記録媒体に記録すべく音声信号を発生する音声発生器と、映像発生器から発生される映像信号及び前記音声発生器から発生される音声信号を取得して符号化するとともに、これら映像符号化データ及び音声符号化データを番組毎に任意に組み合わせて番組データとして第２の記録媒体に記録し、ビデオサーバへの転送要求に応じて当該第２の記録媒体上の任意の番組データをフレーム長相当の複数ファイルに分割する編集装置とを具備し、ビデオサーバは、編集装置により分割された任意の番組の複数ファイルを番組データに戻して第１の記録媒体に記録する記録制御手段を備えるようにしたものである。
【００１１】
この構成によれば、映像発生器及び音声発生器を編集装置に接続し、編集装置により映像発生器から発生される映像信号及び音声発生器から発生される音声信号を符号化し、これら映像符号化データ及び音声符号化データを番組毎に任意に組み合わせて第２の記録媒体に記録し、ビデオサーバへの転送要求に応じて第２の記録媒体上の任意の番組データを複数ファイルに分割するようにしている。そして、ビデオサーバにより、編集装置の第２の記録媒体に記録された任意の番組の複数ファイルを番組データに戻して第１の記録媒体に記録するようにしている。
【００１２】
従って、放送番組の映像信号または音声信号の記録処理をビデオサーバに頼らずに編集装置で分担して実行することが可能となり、これにより放送番組の映像信号または音声信号の記録処理をビデオサーバと編集装置とが協働して効率良く実行することができる。このため、ビデオサーバの第１の記録媒体を節約できるとともに、編集装置に余裕を持って映像信号及び音声信号の記録、編集ができるため、信頼性の高い放送準備が可能となる。また、編集装置により、映像信号及び音声信号が映像符号化データ及び音声符号化データに変換されることになるので、映像／音声の品質を確保することができる。
【００１３】
また、編集装置において、第２の記録媒体上で記録された映像符号化データ及び音声符号化データが番組別に管理されるので、編集装置に記録した過去の放送番組を、再度ビデオサーバへ簡単に記録でき、合理化が図られる。さらに、映像発生器及び音声発生器からそれぞれ発生される映像信号及び音声信号を編集装置に記録した後、編集が可能となるので、記録時のタイミングズレ、枠時間の調整ができ、記録のやり直しや、ＶＴＲテープ等の媒体自体の作成し直し等の後戻り作業がなくなる。さらに、編集装置からビデオサーバへの転送データが複数ファイルに分割されて送られるので、ビデオサーバに対する長時間のデータ記録を行なうことができる。
【００１４】
編集装置は、可搬型記憶媒体が着脱自在に装着される第１の装着部と、要求される番組に応じて選択的に複数ファイルを第２の記録媒体から読み出し第１の装着部を介して可搬型記憶媒体に記憶させる手段とを備え、ビデオサーバは、可搬型記憶媒体が着脱自在に装着される第２の装着部と、この第２の装着部に可搬型記憶媒体が装着された場合に、可搬型記憶媒体から複数ファイルを読み出して記録制御手段に供給する手段とを備えたことを特徴とする。
【００１５】
この構成によれば、編集装置においてビデオサーバへ記録すべく番組の複数ファイルは可搬型記憶媒体に記憶され、オペレータがこの可搬型記憶媒体をビデオサーバの第２の装着部に装着すればこの可搬型記憶媒体から上記番組の複数ファイルが読み出され、これら複数ファイルが映像符号化データまたは音声符号化データに戻されて第１の記録媒体に記録される。従って、編集装置からビデオサーバへの複数ファイルの転送が可搬型記憶媒体を介して行なわれることになるので、編集装置とビデオサーバとが如何なる位置に設置されていてもビデオサーバに対する放送番組の映像信号または音声信号の記録処理及び編集処理を行うことができる。
【００１６】
ビデオサーバと編集装置との間が通信回線により接続される場合に、編集装置は、転送要求に応じて選択的に番組データを第２の記録媒体から読み出し複数ファイルに分割してビデオサーバへ通信回線を介して転送する転送手段を備え、ビデオサーバの記録制御手段は、通信回線を介して複数ファイルが到来した場合に、複数ファイルを番組データに戻して第１の記録媒体に記録することを特徴とする。
【００１７】
この構成によれば、編集装置の第２の記録媒体に記録された任意の番組データは複数ファイルに分割されて通信回線を介してビデオサーバに転送され第１の記録媒体に記録される。従って、編集装置の第２の記録媒体に記録された番組データを短時間に効率良くビデオサーバへ転送して第１の記録媒体に記録することができる。
【００１８】
編集装置の転送手段は、番組の放送予定時間を示すスケジュールデータを記憶し、このスケジュールデータに基づいて第２の記録媒体から該当する番組データを読み出し複数ファイルに分割してビデオサーバへ転送することを特徴とする。
【００１９】
この構成によれば、スケジュールデータに基づいて編集装置の第２の記録媒体上の該当する番組データが自動的にビデオサーバへ転送されて第１の記録媒体に記録される。従って、オペレータの長期連休等にも事前に編集装置における放送番組の映像信号及び音声信号の編集を終わらせることができ、放送開始前に自動的に放送番組の映像信号または音声信号がビデオサーバに記録され放送される。
【発明の効果】
【００２０】
以上詳述したようにこの発明によれば、ビデオサーバに収録すべく放送番組データの編集に要する労力の低減及び所要時間の短縮を可能とし、これにより編集における信頼性の向上を図るようにしたビデオサーバシステムを提供することができる。
【発明を実施するための最良の形態】
【００２１】
以下、この発明の実施形態について図面を参照して詳細に説明する。  
図１は、この発明に係わるビデオサーバシステムの一実施形態を示す概略構成図である。
【００２２】
このシステムは、ビデオサーバ１１と、編集装置としての収録装置１２とから構成される。なお、ここでは説明を簡単にするため、編集装置１２の入力チャンネル（系統）数を２チャンネルとし、出力チャンネル数を１チャンネルとする。
【００２３】
この実施形態では、収録装置１２の第１入力チャンネルにＭＰＥＧ（Moving Picture Experts Group）エンコーダ１３を接続し、第２入力チャンネルにＰＣＭ(Pulse Code Modulation)エンコーダ１４を接続し、出力チャンネルにビデオサーバ１１を接続している。
【００２４】
また、ＭＰＥＧエンコーダ１３には、ＶＴＲ１５及びＤＶＤレコーダ１６が接続される。さらに、ＰＣＭエンコーダ１４には、ＣＤレコーダ１７、ＭＤレコーダ１８及びマイク１９が接続される。
【００２５】
また、収録装置１２には、モニタ２０及び入力部２１が接続される。入力部２１は、希望する放送番組の映像素材データ及び音声素材データの収録指示、転送指示など、収録装置１２に対し種々の動作指示を入力するために使用するものである。
【００２６】
ところで、上記収録装置１２は次のように構成される。図２はその構成を示すブロック図である。
【００２７】
同図において、収録装置１２は、ＭＰＥＧデータ入力処理部１２１と、ＰＣＭデータ入力処理部１２２と、制御部１２３と、メモリ１２４と、ビデオサーバ収録処理部１２５と、出力バッファ１２６と、映像／音声編集処理部１２７とを備えている。
【００２８】
ＭＰＥＧデータ入力処理部１２１は、ＭＰＥＧエンコーダ１３で生成されたＭＰＥＧデータを取り込み、メモリ１２４の然るべき領域に転送し、その転送終了後にメモリ１２４上のＭＰＥＧデータの存在領域を制御部１２３に通知する。
【００２９】
ＰＣＭデータ入力処理部１２２は、ＰＣＭエンコーダ１４で生成されたＰＣＭデータを取り込みＷＡＶＥ形式のフォーマットに変換して、メモリ１２４の然るべき領域に転送し、その転送終了後にメモリ１２４上のＷＡＶＥデータの存在領域を制御部１２３に通知する。
【００３０】
制御部１２３は、ＭＰＥＧデータ入力処理部１２１及びＰＣＭデータ入力処理部１２２からの通知及び入力部２１によるユーザの指示に基づいて、メモリ１２４上のＭＰＥＧデータ及びＷＡＶＥデータを番組別に管理する。そして、転送要求される番組に応じて、ビデオサーバ収録処理部１２５に対しメモリ１２４の転送開始アドレス及び転送バイト数を指定する。
【００３１】
ビデオサーバ収録処理部１２５は、制御部１２３から指定されたアドレスから指定されたバイト数だけ、メモリ１２４のデータをそれぞれフレーム長相当の複数ファイルに分割して出力バッファ１２６に転送する。このとき、図３に示す如く、分割ファイルの解析処理、転送ヘッダの内容算出を行なって、出力バッファ１２６に転送ヘッダの内容を書き込む。
【００３２】
また、ビデオサーバ収録処理部１２５は、放送予定日時等を示すスケジュールデータを保持し、このスケジュールデータに従ってメモリ１２４上の該当番組のデータを自動的にビデオサーバ１１へ転送する機能を有する。
【００３３】
出力バッファ１２６は、上記複数ファイルを格納し、ＦＴＰ(File Transmission Protocol)に従って適宜ビデオサーバ１１へ出力する。
【００３４】
映像／音声編集処理部１２７は、入力部２１におけるユーザの指示に従い、メモリ１２４上のＭＰＥＧデータ及びＷＡＶＥデータをモニタ２０に表示し、番組ごとにＭＰＥＧデータ及びＷＡＶＥデータの組み合わせを行なう。
【００３５】
一方、ビデオサーバ１１は、次のように構成される。図４はその構成を示すブロック図である。
【００３６】
同図において、収録装置１２は、ＦＴＰ入力処理部１１１と、入力バッファ１１２と、分割ファイル復元処理部１１３と、メモリ１１４と、映像再生処理部１１５と、音声再生処理部１１６と、ＭＰＥＧデコーダ１１７と、ＰＣＭデコーダ１１８とを備えている。
【００３７】
ＦＴＰ入力処理部１１１は、ＦＴＰに従い収録装置１２からの転送ファイルを取り込み、入力バッファ１１２に転送する。そして、転送後、分割ファイル復元処理部１１３に対し転送終了の旨を通知する。
【００３８】
分割ファイル復元処理部１１３は、ＦＴＰ入力処理部１１１からの通知に基づいて、入力バッファ１１２から複数のファイルを取り込み、元のＭＰＥＧデータ及びＷＡＶＥデータに復元してメモリ１１４の然るべき領域に転送し、その転送終了後にメモリ１１４上のＭＰＥＧデータ及びＷＡＶＥデータの存在領域を映像再生処理部１１５及び音声再生処理部１１６に通知する。
【００３９】
映像再生処理部１１５は、外部からの映像番組開始通知により、メモリ１１４からＭＰＥＧデータを取り込み、ＭＰＥＧデコーダ１１７を介して映像信号(音付)として出力する。同様に音声再生処理部１１６は、外部からの音声番組開始通知により、メモリ１１４からＷＡＶＥデータを取り込み、ＰＣＭデコーダ１１８を介して音声信号として出力する。
【００４０】
次に、以上のように構成されたシステムによる収録動作を説明する。  
放送番組の収録を行う場合に、ユーザはビデオサーバ１１に収録するＶＴＲテープ、ＤＶＤ等の映像（音付）素材を準備し、ＶＴＲ１５、ＤＶＤレコーダ１６にセットしスタンバイ状態にする。
【００４１】
そして、ユーザは入力部２１において収録装置１２の映像収録開始（画面上のボタン表示を想定）を押すことにより、収録装置１２内のＭＰＥＧデータ入力処理部１２１を動作させる。この後速やかにＶＴＲ１５もしくはＤＶＤレコーダ１６のスタートボタンを押す。これにより、ＶＴＲ１５もしくはＤＶＤレコーダ１６からの映像信号がＭＥＰＧエンコーダ１３を通してＭＰＥＧデータとして収録装置１２のＭＰＥＧデータ入力処理部１２１により入力され、ＭＰＥＧフォーマット形式で映像データとしてメモリ１２４に保存される。
【００４２】
同様に、ユーザはＣＤ、ＭＤ等の音のみの素材を、ＣＤレコーダ１７、ＭＤレコーダ１８にセットしスタンバイ状態にする。そして、入力部２１において収録装置１２の音声収録開始（画面上のボタン表示を想定）を押すことにより、収録装置１２内のＰＣＭデータ入力処理部１２２を動作させる。この後速やかにＣＤレコーダ１７もしくはＭＤレコーダ１８のスタートボタンを押す。これにより、ＣＤレコーダ１７もしくはＭＤレコーダ１８からの音声信号がＰＣＭエンコーダ１４を通してＰＣＭデータとして収録装置１２のＰＣＭデータ入力処理部１２２により入力され、ＷＡＶＥフォーマット形式で音声データとしてメモリ１２４に保存される。このように、映像／音声の素材を逐次収録装置１２内のメモリ１２４に収録しておく。
【００４３】
一方、収録した映像／音声データはスタート操作のタイミングが毎回異なることから、映像／音声編集処理ソフトにより、頭出しのトリミング調整、枠時間の調整を行い映像／音声データに上書きする。ここで使用する映像／音声編集処理ソフトは、ＭＰＥＧデータ、ＷＡＶＥデータに対応しているものであれば、市販のものでもよい。
【００４４】
また、収録装置１２のビデオサーバ収録処理部１２５は、予め保持されているスケジュールデータに従って、例えば放送開始３日前になると自動的に長時間の大量な映像／音声データをファイル分割しビデオサーバ１１に収録要求を通知する。
【００４５】
そして、ビデオサーバ１１のＦＴＰ入力処理部１１１は、収録装置１２のビデオサーバ収録処理部１２５からのＦＴＰ開始通知により、収録装置１２からの分割ファイルのＦＴＰ受信を行い、ＦＴＰ受信完了後、分割ファイル復元処理部１１３に受信通知を行う。
【００４６】
ビデオサーバ１１の分割ファイル復元処理部１１３は、ＦＴＰ入力処理部１１１からの受信完了通知により分割されたファイルのＭＰＥＧフォーマットのデータ、またはＷＡＶＥフォーマットのデータに復元しメモリ１１４に保存する。
【００４７】
映像再生処理部１１５は、外部からの映像番組開始通知により、ＭＰＥＧフォーマットの映像データをＭＰＥＧデコーダ１１７を介して映像信号を出力する。同様に音声再生処理部１１６は、外部からの音声番組開始通知により、ＷＡＶＥフォーマットの音声データをＰＣＭデコーダ１１８を介して音声信号を出力する。
【００４８】
以上のように上記実施形態では、ＶＴＲ１５及びＤＶＤレコーダ１６をＭＰＥＧエンコーダ１３を介して収録装置１２に接続すると共に、ＣＤレコーダ１７、ＭＤレコーダ１８及びマイク１９をＰＣＭエンコーダ１４を介して収録装置１２に接続するようにし、収録装置１２により例えばＶＴＲ１５から発生されＭＰＥＧエンコーダ１３で符号化されたＭＰＥＧデータ及びＣＤレコーダ１７から発生されＰＣＭエンコーダ１４で符号化されたＰＣＭデータを番組毎に任意に組み合わせてメモリ１２４に記録してメモリ１２４上のデータを番組別に管理するようにしている。そして、メモリ１２４のデータを複数ファイルに分割してビデオサーバ１１へ転送し、ビデオサーバ１１により複数ファイルをＭＰＥＧデータ及びＷＡＶＥデータに戻してメモリ１１４に収録するようにしている。
【００４９】
従って、放送番組の映像／音声素材の収録処理をビデオサーバ１１に頼らずに収録装置１２で分担して実行することができ、これにより放送番組の映像／音声素材の収録処理をビデオサーバ１１と収録装置１２とが協働して効率良く実行することができる。このため、ビデオサーバ１１のメモリ１１４を節約できるとともに、収録装置１２に余裕を持って映像データ及び音声データの収録、編集ができるため、信頼性の高い放送準備が可能となる。また、収録装置１２に収録すべく映像信号及び音声信号がＭＰＥＧエンコーダ１３及びＰＣＭエンコーダ１４によりＭＰＥＧデータ及びＰＣＭデータに変換された後に、メモリ１２４に収録されることになるので、映像／音声の品質を確保することができる。
【００５０】
また、収録装置１２において、メモリ１２４上でＭＰＥＧデータ及びＷＡＶＥデータが番組別に管理されるので、収録装置１２に収録した過去の放送番組を、再度ビデオサーバ１１へ簡単に収録でき、合理化が図られる。さらに、ＶＴＲ１５及びＣＤレコーダ１７からそれぞれ発生される映像信号及び音声信号を収録装置１２に収録した後、編集が可能となるので、収録時のタイミングズレ、枠時間の調整ができ、収録のやり直しや、ＶＴＲテープ等の媒体自体の作成し直し等の後戻り作業がなくなる。
【００５１】
さらに、上記実施形態では、収録装置１２において、スケジュールデータに基づいてメモリ１２４上の該当する番組データを自動的にビデオサーバ１１に転送してメモリ１１４に収録するようにしている。従って、オペレータの長期連休等にも事前に収録装置１２における放送番組の映像信号及び音声信号の編集を終わらせることができ、放送開始前に自動的に放送番組の映像信号または音声信号がビデオサーバ１１に収録され放送される。
【００５２】
なお、この発明は上記実施形態に限るものではない。例えば図５に示すように、収録装置１２からビデオサーバ１１へ、外部メモリ３１を介して番組の複数ファイルを転送するようにしてもよい。なお、図５において、上記図１と同一部分には同一符号を付して示す。
【００５３】
ビデオサーバ１１及び収録装置１２にはそれぞれ記憶媒体スロット４１，５１が設けられており、外部メモリ３１が着脱自在に装着可能になっている。外部メモリ３１は、随時書き込み読み出しが可能な可搬型記憶媒体である。この外部メモリ３１は、収録装置１２においてビデオサーバ１１へ転送すべく番組の複数ファイルを記憶し、この複数ファイルをビデオサーバ１１に読み込ませるために使用する。
【００５４】
このようにすれば、収録装置１２からビデオサーバ１１への複数ファイルの転送が外部メモリ３１を介して行なわれることになるので、収録装置１２とビデオサーバ１１とが如何なる位置に設置されていてもビデオサーバ１１に対する放送番組の映像信号または音声信号の収録処理及び編集処理を行うことができる。
【００５５】
その他、システム構成や、ビデオサーバ及び収録装置の構成、放送番組の映像素材及び音声素材の編集方法、番組データのファイル分割方法、ファイル転送方法等についても、この発明の要旨を逸脱しない範囲で種々変形して実施できる。
【図面の簡単な説明】
【００５６】
【図１】この発明に係わるビデオサーバシステムの一実施形態を示す概略構成図。
【図２】図１に示した収録装置の構成を示すブロック図。
【図３】上記収録装置において、ＷＡＶＥデータの転送ファイル構造を示す図。
【図４】図１に示したビデオサーバの構成を示すブロック図。
【図５】この発明に係わるビデオサーバシステムの他の実施形態を示す概略構成図。
【符号の説明】
【００５７】
１１…ビデオサーバ、１２…収録装置、１３…ＭＰＥＧエンコーダ、１４…ＰＣＭエンコーダ、１５…ＶＴＲ、１６…ＤＶＤレコーダ、１７…ＣＤレコーダ、１８…ＭＤレコーダ、１９…マイク、２０…モニタ、２１…入力部、３１…外部メモリ、４１，５１…記憶媒体スロット、１１１…ＦＴＰ入力処理部、１１２…入力ファイル、１１３…分割ファイル復元処理部、１１４…メモリ、１１５…映像再生処理部、１１６…音声再生処理部、１１７…ＭＰＥＧデコーダ、１１８…ＰＣＭデコーダ、１２１…ＭＰＥＧデータ入力処理部、１２２…ＰＣＭデータ入力処理部、１２３…制御部、１２４…メモリ、１２５…ビデオサーバ収録処理部、１２６…出力バッファ、１２７…映像／音声編集処理部。
【図１】
0004521336.tif 000002
【図２】
0004521336.tif 000003
【図３】
0004521336.tif 000004
【図４】
0004521336.tif 000005
【図５】
0004521336.tif 000006